(57)【要約】【課題】スマートフォンなどの電子機器において、ユーザが直感的な操作で被写界深度を調整可能な構成とする。【解決手段】電子機器において、撮像素子と、開口部の大きさを変化させることで前記撮像素子に入射する光の量を調整する絞り機構と、前記開口部の大きさを制御する絞り制御部と、撮影した画像を表示する表示部と、前記表示部に表示する画像を制御する表示制御部と、前記表示部の表面に配置され、指示具の接触または近接を検出するタッチパネルと、を備え、前記表示制御部は、前記表示部に前記開口部の大きさを調整するための画像を表示し、前記絞り制御部は、前記画像が表示された部分の前記タッチパネルに対する前記指示具による操作に応じて、前記開口部の大きさを調整する、構成とする。【選択図】図２
2019101556.tif 000002
【特許請求の範囲】
【請求項１】
撮像素子と、
開口部の大きさを変化させることで前記撮像素子に入射する光の量を調整する絞り機構と、
前記開口部の大きさを制御する絞り制御部と、
撮影した画像を表示する表示部と、
直感的な操作を受け付ける受付部と、を備え、
前記絞り制御部は、前記受付部によって受け付けた直感的な操作に応じて、前記開口部の大きさを調整する、
電子機器。
【請求項２】
前記表示部に表示する画像を制御する表示制御部をさらに備え、
前記受付部は、前記表示部の表面に配置され、指示具の接触または近接を検出するタッチパネルを含み、
前記表示制御部は、前記表示部に前記開口部の大きさを調整するための画像を表示し、
前記絞り制御部は、前記画像が表示された部分の前記タッチパネルに対する前記指示具による操作に応じて、前記開口部の大きさを調整する、
請求項１に記載の電子機器。
【請求項３】
前記開口部の大きさを調整するために表示される前記画像が、２つの同心円により構成された環状の画像である、
請求項２に記載の電子機器。
【請求項４】
前記絞り制御部は、
前記タッチパネルに接する２つの前記指示具によりピンチイン操作が行われた場合に、前記開口部の大きさを小さくし、
前記タッチパネルに接する２つの前記指示具によりピンチアウト操作が行われた場合に、前記開口部の大きさを大きくする、
請求項２または請求項３に記載の電子機器。
【請求項５】
前記開口部の大きさを調整するために表示される前記画像が、スライドバーである、
請求項２に記載の電子機器。
【請求項６】
前記受付部は、周囲の音声を取得する音声取得部を含み、
前記絞り制御部は、前記前記音声取得部が取得した音声に応じて、前記開口部の大きさを調整する、
請求項１に記載の電子機器。
【発明の詳細な説明】
【技術分野】
【０００１】
本発明の一態様は、電子機器に関する。
【背景技術】
【０００２】
従来から、カメラを搭載したスマートフォンなどの携帯通信機器がある。このような機器では、カメラモジュールの部分が小さく、他の一般的なカメラと比較すると機能が制限されていた。例えば、特許文献１には、スマートフォンに外部デバイスカメラを接続する発明が開示されている。
【先行技術文献】
【特許文献】
【０００３】
【特許文献１】特開２０１４−１１７９０号公報
【発明の概要】
【発明が解決しようとする課題】
【０００４】
近年、スマートフォンなどの携帯通信機器でもきれいな画像を撮像して、印刷したり、ＳＮＳなどで公開したりしたいというニーズが高まっている。しかし、従来の構成では機能に制限があり、きれいな画像を撮像することに限界があった。また、新たな機能を追加した構成に対応するインタフェースが開発されていなかった。
【課題を解決するための手段】
【０００５】
本発明は、上記課題を解決するために次のような手段を採る。なお、以下の説明において、発明の理解を容易にするために図面中の符号等を括弧書きで付記するが、本発明の各構成要素はこれらの付記したものに限定されるものではなく、当業者が技術的に理解しうる範囲にまで広く解釈されるべきものである。
【０００６】
本発明の一の手段は、
撮像素子（２４）と、
開口部の大きさを変化させることで前記撮像素子に入射する光の量を調整する絞り機構（２３）と、
前記開口部の大きさを制御する絞り制御部（２１）と、
撮影した画像を表示する表示部（１４）と、
直感的な操作を受け付ける受付部（１１、１２、１７）と、を備え、  前記絞り制御部は、前記受付部によって受け付けた直感的な操作に応じて、前記開口部の大きさを調整する、
電子機器（１）である。
【０００７】
上記構成の電子機器によれば、ユーザが直感的な操作によって絞り開口の大きさを調整することが可能となる。これにより、ユーザが直感的な操作で被写界深度を調整し、被写体の背景をぼかした画像や、被写体の背景が鮮明な画像を、選択的に撮影することが可能となる。
【０００８】
前記表示部に表示する画像を制御する表示制御部（１３）をさらに備え、
前記受付部は、前記表示部の表面に配置され、指示具の接触または近接を検出するタッチパネル（１２）を含み、
前記表示制御部は、前記表示部に前記開口部の大きさを調整するための画像（１０１ａ、１０１ｂ、１１１ａ、１１１ｂ）を表示し、
前記絞り制御部は、前記画像が表示された部分の前記タッチパネルに対する前記指示具による操作に応じて、前記開口部の大きさを調整する、
電子機器（１）である。
【０００９】
上記構成の電子機器によれば、ユーザがタッチ操作により直感的に絞り開口の大きさを調整することが可能となる。これにより、ユーザが簡易な操作で被写界深度を調整し、被写体の背景をぼかした画像や、被写体の背景が鮮明な画像を、選択的に撮影することが可能となる。
【００１０】
上記電子機器において、好ましくは、
前記開口部の大きさを調整するために表示される前記画像が、２つの同心円により構成された環状の画像（１０１ａ、１０１ｂ）である。
【００１１】
上記構成の電子機器によれば、絞り開口の大きさを調整する様子をユーザが確認しやすくすることができる。これにより、ユーザが、絞り開口の調整をより直感的に行うことができる構成にすることができる。
【００１２】
上記電子機器において、好ましくは、
前記絞り制御部（２１）は、
前記タッチパネル（１２）に接する２つの前記指示具によりピンチイン操作が行われた場合に、前記開口部の大きさを小さくし、
前記タッチパネル（１２）に接する２つの前記指示具によりピンチアウト操作が行われた場合に、前記開口部の大きさを大きくする。
【００１３】
上記構成の電子機器によれば、ユーザが、絞り開口の調整をさらに直感的に行うことが可能な構成とすることができる。
【００１４】
上記電子機器において、好ましくは、
前記開口部の大きさを調整するために表示される前記画像が、スライドバー（１１１ａ、１１１ｂ）である。
【００１５】
上記構成の電子機器によれば、絞り開口の大きさを調整する様子をユーザが確認しやすくすることができる。これにより、ユーザが、絞り開口の調整をより直感的に行うことができる構成にすることができる。
【００１６】
また、本発明は、
撮像素子（２４）と、
開口部の大きさを変化させることで前記撮像素子に入射する光の量を調整する絞り機構（２３）と、
前記開口部の大きさを制御する絞り制御部（２１）と、
撮影した画像を表示する表示部（１４）と、
直感的な操作を受け付ける受付部（１１、１２、１７）と、を備え、
前記絞り制御部は、前記受付部によって受け付けた直感的な操作に応じて、前記開口部の大きさを調整する電子機器において、
前記受付部は、周囲の音声を取得する音声取得部（１７）を含み、
前記絞り制御部は、前記前記音声取得部が取得した音声に応じて、前記開口部の大きさを調整する構成とする。
【００１７】
上記構成の電子機器によれば、ユーザの声によって、簡易に絞り開口の大きさを調整することが可能となる。これにより、ユーザが簡易な操作で被写界深度を調整し、被写体の背景をぼかした画像や、被写体の背景が鮮明な画像を、選択的に撮影することが可能となる。
【図面の簡単な説明】
【００１８】
【図１】図１は、実施形態のスマートフォンの構成例を示す図である。
【図２】図２は、実施形態のスマートフォンにおける撮影処理を示すフローチャートである。
【図３】図３は、絞り開口の調整時におけるスマートフォンの画面表示を示す図である。
【図４】図４は、変形例のスマートフォンにおける撮影処理を示すフローチャートである。
【図５】図５は、変形例の絞り開口の調整時におけるスマートフォンの画面表示を示す図である。
【発明を実施するための形態】
【００１９】
本発明に係る実施形態について、以下の構成に従って図面を参照しながら具体的に説明する。ただし、以下で説明する実施形態はあくまで本発明の一例にすぎず、本発明の技術的範囲を限定的に解釈させるものではない。なお、各図面において、同一の構成要素には同一の符号を付しており、その説明を省略する場合がある。
１．実施形態
２．変形例
３．補足事項
【００２０】
＜１．実施形態＞
本実施形態のスマートフォンは、絞り機構を含むカメラモジュールを備えており、スマートフォンなどのタッチパネルを有する機器に適した絞り開口の大きさ調整用のインタフェースを用いている点を特徴のひとつとしている。以下、本実施形態のスマートフォンについて具体的に説明する。
【００２１】
＜スマートフォンの構成例＞
図１は、本実施形態のスマートフォンの構成例を示す図である。図１に示されるように、スマートフォン１は、プロセッサ１０、タッチパネル制御部１１、タッチパネル１２、表示制御部１３、表示部１４、メモリ１５、無線通信部１６、マイク１７、及びカメラモジュール２０を含んで構成される。なお、本実施形態のスマートフォン１は、本発明の「電子機器」の一例であって、同様の機能を有するカメラモジュール付きのタブレット機器、または携帯電話などに置き換えられてもよい。以下、各構成の概要について説明するが、各構成による具体的な動作は後述する。
【００２２】
＜タッチパネル１２＞
タッチパネル１２は、表示部１４の表面に配置されたフィルムなどによって、ユーザが指示具で表示部１４に接触した位置、接触したときの圧力などを検出するよう構成される。なお、指示具とは、ユーザの指、またはタッチペンなどを含むが、これらに限定するものではない。タッチパネル１２は、検出したユーザによる操作を、操作情報としてタッチパネル制御部１１に出力する。タッチパネル１２は、必ずしもこのようなフィルムなどに限定されるものではなく、ユーザによる接触を検出する他の構成であってもよい。また、表示部１４の表面へのユーザの接触のみでなく、スマートフォン１のその他の部分へのユーザの接触をも検出するよう構成されてもよい。また、タッチパネル１２は、指示具の接触に代え、指示具が近接したことを検出する構成としてもよい。
【００２３】
＜タッチパネル制御部１１＞
タッチパネル制御部１１は、タッチパネル１２から入力された、ユーザによる操作を示す操作情報をプロセッサ１０に出力する。タッチパネル制御部１１は、入力された操作情報に対して所定の情報処理を行った後にプロセッサ１０に出力してもよい。
【００２４】
＜表示部１４＞
表示部１４は、例えば、スマートフォン１と一体に形成された液晶表示装置または有機ＥＬ表示装置などであって、所定の画像をユーザが視認できるよう表示する。表示部１４の表面には、例えばタッチパネル用のフィルム等が配置されており、表示部１４とタッチパネル１２とは一体的に構成される。
【００２５】
＜表示制御部１３＞
表示制御部１３は、プロセッサ１０の制御により動作し、表示部１４を制御して所定の画像を表示させる。
【００２６】
＜メモリ１５＞
メモリ１５は、例えばスマートフォン１に搭載されたフラッシュメモリまたはＨＤＤ（Hard Disk Drive）などの記憶部である。メモリ１５は、プロセッサ１０の制御により、入力された画像データなどのデータを記憶して保持する。メモリ１５は、カメラモジュール２０で撮影した画像のデータ、及びスマートフォン１で使用されるソフトウェア（アプリケーションソフトまたはアプリを含む）、カメラモード用のインタフェース等の種々の情報を記憶する。メモリ１５は、内蔵メモリであってもよいし、取り外し可能なフラッシュメモリなどであってもよい。
【００２７】
＜無線通信部１６＞
無線通信部１６は、他の機器と無線でデータの送受信を行う。例えば、無線通信部１６は、撮影した画像を無線で送信し、インターネット上のＳＮＳに当該画像をアップロードすることができる。無線通信部１６は、例えば、無線ＬＡＮ、４Ｇ及びＬＴＥなどの無線通信回線、Ｂｌｕｅｔｏｏｔｈ（登録商標）、並びに赤外線通信などの無線通信手段でスマートフォン１と他の機器との間でデータを送受信するが、これらの無線通信手段に限定されるものではない。
【００２８】
＜マイク１７＞
マイク１７は、ユーザの声を含む周囲の音声を取得して、取得したデータを音声データとしてプロセッサ１０に出力する。
【００２９】
＜プロセッサ１０＞
プロセッサ１０は、スマートフォン１に搭載されたＣＰＵ（中央演算装置）などの制御装置であって、スマートフォン１の各構成の動作を制御する。なお、プロセッサ１０は、半導体集積回路で形成された演算装置を含むが、これに限定されるものではなく、種々の制御を実行可能なハードウェアもしくはソフトウェア、またはハードウェアとソフトウェアとの組み合わせで構成されてもよい。また、本実施形態では、プロセッサ１０とは別の構成として、スマートフォン１が、タッチパネル制御部１１、表示制御部１３、及びカメラモジュール制御部２１を含む構成を例示しているが、これらの制御部の機能はプロセッサ１０が包含していてもよい。プロセッサ１０の具体的な動作については後述する。
【００３０】
＜カメラモジュール２０＞
カメラモジュール２０は、カメラモジュール制御部２１、羽根駆動部２２、絞り機構２３、及び撮像素子２４を含んで構成される。
【００３１】
＜撮像素子２４＞
撮像素子２４は、被写体からレンズを透過して入射してきた光を受け、電気信号に変換することで画像データを取得する、所謂光電変換素子である。被写体の画像データを取得することを「撮影」と称する。撮像素子２４は、例えば、ＣＣＤまたはＣＭＯＳセンサなどである。本実施形態のスマートフォン１のカメラモジュール２０は、シャッタ装置を有しておらず、撮像素子を制御することで撮影を実行する。撮像素子２４は、カメラモジュール制御部２１の制御により、静止画のみなく、動画を撮影可能である。
【００３２】
＜絞り機構２３＞
絞り機構２３は、羽根駆動部２２により駆動される複数または１枚の羽根を含んで構成される。絞り機構２３は、これらの羽根の動作に応じて径の大きさを変更可能な開口部を有する。つまり、これらの羽根の縁部が開口部を形成しており、羽根が動作することで開口部の大きさが変化する。絞り機構２３は、開口部の大きさを変化させることで、被写体に対して絞り機構２３よりも後方に配置された撮像素子に入射する光の量を変化させる。この開口部は、絞り開口とも呼ばれる。
【００３３】
なお、絞り機構２３は、絞り開口の大きさを複数段階で調整可能な多段階または無段階の構成であってもよいし、２段階または３段階などで絞り開口の大きさを調整可能な構成であってもよい。
【００３４】
＜羽根駆動部２２＞
羽根駆動部２２は、絞り機構の開口部の大きさを変化させる羽根を駆動する。羽根駆動部２２は、与えられた電力により励磁されて電磁石となるコイルと、永久磁石とを含む電磁アクチュエータである。羽根駆動部２２は、電力が与えられると絞り機構の羽根を駆動し、これによって絞り機構２３の開口部の大きさが変化する。なお、羽根駆動部２２の構成は上記の構成に限定されるものではなく、羽根を駆動可能な他の構成が採用されてもよい。
【００３５】
＜カメラモジュール制御部２１＞
カメラモジュール制御部２１は、プロセッサ１０からの指示に応じて羽根駆動部２２及び撮像素子２４を制御することで、被写体の撮影を実行する。具体的には、プロセッサ１０から絞り機構２３の開口部の大きさを変化する命令を受け取ると、カメラモジュール制御部２１は、羽根駆動部２２を動作させて、絞り機構２３の開口部を所望の大きさに調整する。次に、プロセッサ１０から撮影命令を受け取ると、カメラモジュール制御部２１は、撮像素子２４を制御して被写体を撮影する。カメラモジュール制御部２１は、本発明の「絞り制御部」の一例である。
【００３６】
＜撮影処理の動作＞
次に、本実施形態のスマートフォン１で行われる撮影処理について説明する。図２は、本実施形態のスマートフォン１における撮影処理を示すフローチャートである。
【００３７】
＜Ｓ１００〜Ｓ１１０＞
スマートフォン１をユーザがカメラモードを起動するようタッチパネル１２を操作すると、タッチパネル制御部１１はこの操作情報をプロセッサ１０に出力し、これに伴いプロセッサ１０はカメラモード起動する（Ｓ１００）。次に、プロセッサ１０は、カメラモジュール制御部２１を介して撮像素子２４を動作させ、被写体の画像の取得を開始する。撮像素子２４で撮影された画像は、カメラモジュール制御部２１、プロセッサ１０、及び表示制御部１３を介して、リアルタイムで表示部１４に表示される（Ｓ１１０）。なお、リアルタイムで表示部１４に表示される画像は、必ずしもメモリ１５には保存されない。
【００３８】
＜Ｓ１２０＞
次に、プロセッサ１０は、表示部１４に絞り機構２３の開口部の大きさを調整するためのアイコン１０１ａ（または１０１ｂ）を表示し、ユーザによるタッチパネル１２に対する操作、またはマイク１７によりユーザの音声入力を検出する。
【００３９】
図３（ａ）及び（ｂ）は、このときの表示部１４の表示状態を示す図である。図３（ａ）と図３（ｂ）とでは、絞り機構２３の開口部の大きさが異なっている。具体的には図３（ａ）は絞り開口が比較的小さくなっており、図３（ｂ）は絞り開口が比較的大きくなっている。
【００４０】
タッチパネル１２は、表示部１４に表示されたアイコン１０１ａ（または１０１ｂ）の近傍で、ユーザの指などの指示具によりピンチイン操作またはピンチアウト操作が行われないかを検出する。つまり、ユーザの指などの指示具が２箇所でタッチパネル１２に接触し、この状態から２つの指示具の距離が近づく操作が行われた場合には、プロセッサ１０はピンチイン操作が行われたと判定する。一方、ユーザの指などの指示具が２箇所でタッチパネル１２に接触し、この状態から２つの指示具の距離が離れる操作が行われた場合には、プロセッサ１０はピンチアウト操作が行われたと判定する。なお、ピンチイン操作、及びピンチアウト操作の判定は、プロセッサ１０ではなくタッチパネル１２などが行ってもよい。
【００４１】
上記タッチパネル１２による操作検出にあわせて、マイク１７は、ユーザの声による音声入力を検出し、絞り開口を調整するための指示があるかどうかを判定する。具体的には、マイク１７で取得された音声の音声データを入力されたプロセッサ１０は、この音声データが「暗く」または「明るく」という音声を含むか否かを判定する。
【００４２】
上記タッチパネル１２及びマイク１７を用いた検出の結果、以下のように、絞り開口を開くまたは閉じる操作を行う。
【００４３】
＜Ｓ１２１＞
プロセッサ１０がピンチイン操作を検出した場合、プロセッサ１０は、カメラモジュール制御部２１及び羽根駆動部２２を介して絞り機構２３を駆動し、絞り開口を閉じる（開口部を小さくする）よう動作させる。
【００４４】
＜Ｓ１２２＞
一方、プロセッサ１０がピンチアウト操作を検出した場合、プロセッサ１０は、カメラモジュール制御部２１及び羽根駆動部２２を介して絞り機構２３を駆動し、絞り開口を開く（開口部を大きくする）よう動作させる。
【００４５】
＜Ｓ１２３＞
一方、プロセッサ１０が「暗く」というユーザの音声を検出した場合、プロセッサ１０は、カメラモジュール制御部２１及び羽根駆動部２２を介して絞り機構２３を駆動し、絞り開口を閉じる（開口部を小さくする）よう動作させる。
【００４６】
＜Ｓ１２４＞
一方、プロセッサ１０が「明るく」というユーザの音声を検出した場合、プロセッサ１０は、カメラモジュール制御部２１及び羽根駆動部２２を介して絞り機構２３を駆動し、絞り開口を開く（開口部を大きくする）よう動作させる。
【００４７】
＜絞り開口の開口量調整時の表示＞
絞り機構２３の開口部の開口量の調整が行われるとき、開口量の調整状態を分かりやすくするため、プロセッサ１０は、表示制御部１３を介して、表示部１４にアイコン１０１ａ（または１０１ｂ）を表示する（図３参照）。
【００４８】
例えば、絞り機構２３の開口量が最小の際、図３（ａ）のような画像が表示部１４に画像が表示される。このとき、表示部１４には、被写体１０２ａ、背景１０３ａ、及びアイコン１０１ａが表示される。アイコン１０１ａは、絞り開口が最小の状態を示すように、内側の円が小さく表示された円環（二重円）が表示される。この円環を構成する円は同心円になっている。
【００４９】
この状態から、ユーザがアイコン１０１ａの近傍を２本指でタッチしてピンチアウト操作を行うと、図３（ｂ）のような画像が表示部１４に表示される。このとき、表示部１４には、上記の図３（ａ）の状態と比較して、内側の円が大きく表示された円環（二重円）がアイコン１０１ｂとして表示される。図３（ｂ）の状態では、絞り開口を小さくして撮影した場合の画像が表示されているため、被写体１０２ａは鮮明であるが、背景１０３ａが不鮮明な画像となっている。このように、絞り開口の開口量は、アイコン１０１ａ（または１０１ｂ）に対応した開口量となる。つまり、円環状のアイコンの内側の円が小さい場合（図３（ａ）のアイコン１０１ａの場合）には開口部の大きさが小さくなって被写界深度が深くなり、円環状のアイコンの内側の円が大きい場合（図３（ｂ）のアイコン１０１ｂの場合）には開口部の大きさが大きくなって被写界深度が浅くなる。
【００５０】
上記の図３（ｂ）の状態から、アイコン１０１ｂの近傍を２本指でタッチしてピンチイン操作を行うと、アイコン１０１ｂの内側の円が徐々に小さくなり、図３（ａ）のような画像が表示部１４に表示されることとなる。なお、円環状のアイコン１０１ａ（または１０ｂ）の内側の円は、開口量に応じて連続的に、または断続的に変化する。
【００５１】
なお、上記説明におけるピンチイン操作及びピンチアウト操作は、ユーザによる「暗く」または「明るく」などの声などの音声操作に置き換えられてもよい。
【００５２】
つまり、カメラモジュール制御部２１は、円環状のアイコンが表示された部分のタッチパネル１２に対する指などの指示具による操作に応じて、羽根駆動部２２を動作させて、絞り機構２３の開口部の大きさを調整する。または、カメラモジュール制御部２１は、マイク１７が取得した音声に応じて、羽根駆動部２２を動作させて、絞り機構２３の開口部の大きさを調整する。すなわち、本実施形態のスマートフォン１では、タッチパネル１２に対する指などの指示具による操作（タッチ操作）およびマイク１７に対する音声入力（音声操作）などの直感的な操作に応じて、プロセッサ１０及びカメラモジュール制御部２１が羽根駆動部２２を動作させて、絞り機構２３の開口部の大きさを調整する。本明細書では、スマートフォン１の操作を行ったことがないユーザであってもユーザの直感で即座に理解できるようなタッチ操作、音声操作、ジェスチャ操作および視線操作（視線入力）などの操作を「直感的な操作」と称する。
【００５３】
＜Ｓ１３０＞
上記のように、絞り機構２３の絞り開口の調整を行った後、プロセッサ１０は、ユーザによる撮影操作があったかどうかを検出する（Ｓ１３０）。ユーザによる撮影操作は、タッチパネル１２を介した操作であってもよいし、マイク１７を介した音声操作であってもよいし、その他の操作であってもよい。また、ユーザによるタッチパネル１２に対する操作及びマイク１７を介した音声操作がいずれも行われることなく、撮影操作がなされてもよい。ユーザによる撮影操作が行われない場合には（Ｓ１３０でＮ）、ユーザによるタッチパネル１２に対する操作、またはマイク１７によりユーザの音声入力の検出を繰り返し行う（Ｓ１２０）。
【００５４】
＜Ｓ１４０＞
ユーザによる撮影操作が検出されると（Ｓ１３０でＹ）、プロセッサ１０は、カメラモジュール制御部２１を介して、撮像素子２４により撮影を実行させる。プロセッサ１０は、撮影が完了すると、取得した画像をメモリ１５に記憶させる。
【００５５】
＜Ｓ１５０＞
次に、プロセッサ１０は、撮影した画像を、表示制御部１３を介して表示部１４にプレビュー表示して（Ｓ１５０）、カメラモードを終了する（Ｓ１６０）。
【００５６】
このように、本実施形態のスマートフォン１では、絞り機構２３を備える構成とすることで絞り開口の大きさを制御可能であって、表示制御部１３が、表示部１４に絞り開口の開口部の大きさを調整するための画像（例えばアイコン）を表示する。そして、カメラモジュール制御部２１は、画像（例えばアイコン）が表示された部分のタッチパネル１２に対する指などの指示具による操作に応じて、絞り機構２３の開口部の大きさを調整するよう制御するよう構成されている。これにより、本実施形態のスマートフォン１では、ユーザがタッチ操作により直感的に絞り開口の大きさを調整することが可能となる。これにより、ユーザが簡易な操作で被写界深度を調整し、被写体の背景をぼかした画像や、被写体の背景が鮮明な画像を、選択的に撮影することが可能となる。また、ユーザは、簡易な操作で開口部の大きさを調整して、所望の明るさの画像を撮影することも可能となる。
【００５７】
また、本実施形態のスマートフォン１では、絞り機構２３の開口部の大きさを調整するための画像（アイコン）として、２つの同心円により構成された円環状の画像（アイコン）を用いているため、絞り開口の大きさを調整する様子をユーザが確認しやすくすることができる。これにより、ユーザが、絞り開口の調整をより直感的に行うことができる構成にすることができる。
【００５８】
また、本実施形態のスマートフォン１では、ユーザのピンチイン操作に応じて絞り機構２３の開口部の大きさを小さくし、ピンチアウト操作に応じて絞り機構２３の開口部の大きさを大きくするよう動作する。そのため、ユーザが、絞り開口の調整をさらに直感的に行うことが可能な構成とすることができる。
【００５９】
また、本実施形態のスマートフォン１では、周囲の（ユーザの）音声を取得するマイク１７を有しており、マイク１７が取得した音声に応じて、絞り機構２３の開口部の大きさを調整するよう動作する。これにより、ユーザが簡易な操作で撮影時の被写界深度を調整し、被写体の背景をぼかした画像や、被写体の背景が鮮明な画像を、選択的に撮影することが可能となる。
【００６０】
＜２．変形例＞
次に、上記実施形態の変形例について説明する。以下の変形例の説明では、実施形態と異なる構成及び動作等についてのみの説明を行い、実施形態と同様の内容についてはその説明を省略する。
【００６１】
図４は、本変形例のスマートフォン１における撮影処理を示すフローチャートである。本変形例では、スマートフォン１の構成は実施形態の構成と同様であるが、動作が一部異なっている。具体的には、表示部１４には、実施形態におけるアイコン１０１ａ（または１０１ｂ）に代えてスライドバー１１１ａ（または１１１ｂ）が表示される。図４に示される本変形例の撮影処理のフローチャートでは、実施形態の処理と比較して、ユーザの操作（Ｓ１２０）が、ユーザによるスライドバーの操作（Ｓ１２５）に置き換えられ、その後の絞り開口の調整処理が置き換えられている（Ｓ１２１〜Ｓ１２４がＳ１２６及びＳ１２７に置き換えられている）。
【００６２】
＜Ｓ１２５＞
カメラモードが起動され（Ｓ１００）、表示部１４に被写体の画像が表示されると（Ｓ１１０）、プロセッサ１０は、表示部１４に絞り機構２３の開口部の大きさを調整するためのスライドバー１１１ａ（または１１１ｂ）を表示し、ユーザによるタッチパネル１２に対する操作を検出する。
【００６３】
＜Ｓ１２６＞
プロセッサ１０が、タッチパネル１２に対するスライドバーを上げる操作を検出した場合、プロセッサ１０は、カメラモジュール制御部２１及び羽根駆動部２２を介して絞り機構２３を駆動し、絞り開口を閉じる（開口部を小さくする）よう動作させる。
【００６４】
＜Ｓ１２７＞
一方、プロセッサ１０が、タッチパネル１２に対するスライドバーを下げる操作を検出した場合、プロセッサ１０は、カメラモジュール制御部２１及び羽根駆動部２２を介して絞り機構２３を駆動し、絞り開口を開く（開口部を大きくする）よう動作させる。
【００６５】
＜絞り開口の開口量調整時の表示＞
実施形態と同様、絞り機構２３の開口部の開口量の調整が行われるとき、開口量の調整状態を分かりやすくするため、プロセッサ１０は、表示制御部１３を介して、表示部１４にスライドバー１１１ａ（または１１１ｂ）を表示する（図５参照）。
【００６６】
例えば、絞り機構２３の開口量が最小の際、図５（ａ）のような画像が表示部１４に画像が表示される。このとき、表示部１４には、被写体１０２ａ、背景１０３ａ、及びスライドバー１１１ａが表示されている。スライドバー１１１ａは、絞り開口が最小の状態を示すように、スライドバーのポインタが最も下の位置に表示される。
【００６７】
この状態から、ユーザがスライドバー１１１ａの近傍を指でタッチして、スライドバーのポインタを上げる操作を行うと、表示部１４の表示は図５（ｂ）のように、スライドバーのポインタが上の位置に表示される。図５（ｂ）の状態では、絞り開口を小さくして撮影した場合の画像が表示されているため、被写体１０２ａは鮮明であるが、背景１０３ａが不鮮明な画像となっている。このように、絞り開口の開口量は、スライドバー１１１ａ（または１１１ｂ）に対応した開口量となる。つまり、スライドバーのポインタが上に位置しているとき（図５（ａ）のスライドバー１１１ａのとき）には開口部の大きさが小さくなって被写界深度が深くなり、スライドバーのポインタが下に位置しているとき（図５（ｂ）のスライドバー１１１ｂの場合）には開口部の大きさが大きくなって被写界深度が浅くなる。
【００６８】
上記の図５（ｂ）の状態から、スライドバー１１１ｂの近傍を指でタッチしてスライドバーのポインタを下げる操作を行うと、図５（ａ）のように、スライドバーのポインタが下の位置に表示されるようになる。なお、スライドバー１１１ａ（または１１１ｂ）のポインタは、開口量に応じて連続的に、または断続的に変化する。
【００６９】
本変形例のスマートフォン１では、絞り機構２３の開口部の大きさを調整するための画像としてスライドバー１１１ａ（及び１１１ｂ）を用いているため、絞り開口の大きさを調整する様子をユーザが確認しやすくすることができる。これにより、ユーザが、絞り開口の調整をより直感的に行うことができる構成にすることができる。
【００７０】
＜３．補足事項＞
以上、本発明の実施形態及び変形例についての具体的な説明を行った。上記説明は、あくまで一具体例としての構成及び動作の説明であって、本発明の範囲はこれらの実施形態及び変形例に留まらず、当業者が把握可能な範囲にまで広く解釈されるものである。
【００７１】
実施形態では、スマートフォン１を例に挙げて動作を説明していたが、スマートフォン１以外の電子機器または通信機器でも同様のことを実施可能である。ただし、スマートフォンに本発明を適用すると、撮影した画像をそのままＳＮＳに送信したいというニーズに応えられる点で特に好ましい。
【００７２】
また、実施形態では、スマートフォン１は、プロセッサ１０以外の制御部として、タッチパネル制御部１１、表示制御部１３、及びカメラモジュール制御部２１を含んでいたが、これらの制御部は必ずしも個別に必要なものではなく、プロセッサ１０がその機能を併せ持った構成であってもよいし、さらに分割された構成であってもよい。
【００７３】
また、実施形態のカメラモジュール２０は、シャッタ機構を有さない構成であったが、シャッタ機構を有する構成のカメラモジュールを用いることも当然可能である。
【産業上の利用可能性】
【００７４】
本発明は、電子機器などとして好適に適用される。
【符号の説明】
【００７５】
１…スマートフォン
１０…プロセッサ
１１…タッチパネル制御部
１２…タッチパネル
１３…表示制御部
１４…表示部
１５…メモリ
１６…無線通信部
１７…マイク
２０…カメラモジュール
２１…カメラモジュール制御部
２２…羽根駆動部
２３…絞り機構
２４…撮像素子
【図１】
2019101556.tif 000003
【図２】
2019101556.tif 000004
【図３】
2019101556.tif 000005
【図４】
2019101556.tif 000006
【図５】
2019101556.tif 000007